(57)【要約】【課題】積み重ねた状態において、強度を確保しつつ収納物を出し入れ可能とする収納箱を提供する。【解決手段】等しい矩形とされた天板５０および底板６０の間で、側方に開口部１１を有する収納空間１２を形成する箱本体部と、天板５０の４辺を取り囲む４つの支持壁部と、底板６０の４辺を取り囲む４つの脚壁部と、を備え、４つの支持壁部では、上端縁に上方へ向けて波状に突出する凸部分１３ａを少なくとも２つ有する上側波状面１３がそれぞれ設けられ、４つの脚壁部では、下端縁に上方へ向けて波状に凹む凹部分１４ａを少なくとも２つ有する下側波状面１４がそれぞれ設けられ、上側波状面１３と下側波状面１４とは、凸部分１３ａを凹部分１４ａに嵌め入れることを可能としつつ全面に亘り面接触可能とされている。【選択図】図２
2019031304.tif 000002
【特許請求の範囲】
【請求項１】
等しい矩形とされた天板および底板の間で、側方に開口部を有する収納空間を形成する箱本体部と、
前記天板の４辺を取り囲む４つの支持壁部と、
前記底板の４辺を取り囲む４つの脚壁部と、を備え、
４つの前記支持壁部では、上端縁に上方へ向けて波状に突出する凸部分を少なくとも２つ有する上側波状面がそれぞれ設けられ、
４つの前記脚壁部では、下端縁に上方へ向けて波状に凹む凹部分を少なくとも２つ有する下側波状面がそれぞれ設けられ、
前記上側波状面と前記下側波状面とは、前記凸部分を前記凹部分に嵌め入れることを可能としつつ全面に亘り面接触可能とされていることを特徴とする収納箱。
【請求項２】
前記天板および前記底板は、前記収納空間を介在させて対向する２つの側板の間を架け渡して設けられ、
２つの前記側板の間には、前記収納空間の後方を規定しつつ前記側板と等しい高さ寸法とされて前記天板および前記底板の後端に宛がわれる奥板と、前記収納空間の前側の上部で前記天板の前端に宛がわれる上前板と、前記収納空間の前側の下部で前記底板の前端に宛がわれる下前板と、が設けられ、
前記箱本体部は、前記天板と前記底板と２つの前記側板の中間箇所と前記奥板の中間箇所とにより形成され、
４つの前記支持壁部は、２つの前記側板の上箇所と前記奥板の上箇所と前記上前板とにより形成され、
４つの前記脚壁部は、２つの前記側板の下箇所と前記奥板の下箇所と前記下前板とにより形成されていることを特徴とする請求項１に記載の収納箱。
【請求項３】
前記天板および前記底板は、前記収納空間を介在させて対向する２つの側板の間を架け渡して設けられ、
２つの前記側板の間には、前記収納空間の前側の上部で前記天板の前端に宛がわれる上前板と、前記収納空間の前側の下部で前記底板の前端に宛がわれる下前板と、前記収納空間の後側の上部で前記天板の後端に宛がわれる上後板と、前記収納空間の後側の下部で前記底板の後端に宛がわれる下後板と、が設けられ、
前記箱本体部は、前記天板と前記底板と２つの前記側板の中間箇所とにより形成され、
４つの前記支持壁部は、２つの前記側板の上箇所と前記上前板と前記上後板とにより形成され、
４つの前記脚壁部は、２つの前記側板の下箇所と前記下前板と前記下後板とにより形成されていることを特徴とする請求項１に記載の収納箱。
【請求項４】
前記上側波状面および前記下側波状面は、すべり止め機能を有するカバー部材により覆われていることを特徴とする請求項１から請求項３までのいずれか１項に記載の収納箱。
【発明の詳細な説明】
【技術分野】
【０００１】
本開示は、収納箱に関する。
【背景技術】
【０００２】
従来、任意の物品等の収納を可能とする収納箱が知られている。
【０００３】
このような収納箱では、安定して積み重ねることを可能な構成とすることが考えられている（特許文献１、特許文献２参照）。これらの収納箱では、上面において対向する２辺に突起を設けるとともに、下面において対向する２辺に突起を受け入れる凹所を設けた構成とし、対応する凹所に各突起を嵌め入れつつ積み重ねることで、積み重ねた際の安定性を確保している。そして、特許文献２では、突起および凹所を４辺すべてに設けることで、より安定させて積み重ねることを可能としている。
【先行技術文献】
【特許文献】
【０００４】
【特許文献１】特開２０１４−２３７４８０号公報
【特許文献２】特開２０１２−２５４２８号公報
【発明の概要】
【発明が解決しようとする課題】
【０００５】
ところで、上記した特許文献１は、収納箱が包装に用いられるものであり、６面が閉じられた状態で積み重ねることで各収納箱の強度を確保している。また、上記した特許文献２は、収納箱が搬送に用いられるものであり、下に置かれた収納箱の開口された上面の４つの突起を、上に積み重ねられた箱の下面の凹所に嵌め入れることで、各収納箱の強度を確保している。このため、上記した各収納箱では、積み重ねた状態で収納物を出し入れすることができない。
【０００６】
本開示は、上記の事情に鑑みて為されたもので、積み重ねた状態において、強度を確保しつつ収納物を出し入れ可能とする収納箱を提供することを目的とする。
【課題を解決するための手段】
【０００７】
上記した目的を達成するために、本開示の収納箱は、等しい矩形とされた天板および底板の間で、側方に開口部を有する収納空間を形成する箱本体部と、前記天板の４辺を取り囲む４つの支持壁部と、前記底板の４辺を取り囲む４つの脚壁部と、を備え、４つの前記支持壁部では、上端縁に上方へ向けて波状に突出する凸部分を少なくとも２つ有する上側波状面がそれぞれ設けられ、４つの前記脚壁部では、下端縁に上方へ向けて波状に凹む凹部分を少なくとも２つ有する下側波状面がそれぞれ設けられ、前記上側波状面と前記下側波状面とは、前記凸部分を前記凹部分に嵌め入れることを可能としつつ全面に亘り面接触可能とされている。
【発明の効果】
【０００８】
このように構成された本開示の収納箱は、積み重ねた状態において、強度を確保しつつ収納物を出し入れ可能とすることができる。加えて、本開示の収納箱は、例えば、開口部の向きを変えて積み重ねたり、異なるサイズのものを積み重ねたり等のように、組み合わせの自由度を向上させることができる。
【図面の簡単な説明】
【０００９】
【図１】本開示に係る収納箱の一実施形態に係る一例としての収納箱を示す説明図である。
【図２】収納箱の各構成を分解して示す模式的な斜視図である。
【図３】上側波状面を示す説明図である。
【図４】下側波状面を示す説明図である。
【図５】２つの収納箱を上下に積み重ねた様子を示す説明図である。
【図６】６つの収納箱を用いて間仕切りを形成した様子を示す説明図である。
【図７】２つの収納箱と、それよりも長い他の例としての収納箱と、を積み重ねた様子を示す説明図である。
【図８】図７とは異なる他の例としての２つの収納箱を互いの向きを９０度変えて上下に積み重ねた様子を示す説明図である。
【図９】図７および図８とは異なる他の例としての収納箱を示す説明図である。
【発明を実施するための形態】
【００１０】
以下に、本開示に係る収納箱の一例としての実施例１の収納箱１０について図面を参照しつつ説明する。なお、図７から図９では、図１から図６までに記載する収納箱１０とは異なる例の収納箱（１０Ａから１０Ｃ）をそれぞれ示しているが、基本的な構成は収納箱１０と同様であり、等しい箇所には等しい符号を付して詳細な説明は省略している。
【実施例１】
【００１１】
本開示に係る収納箱の一実施形態に係る実施例１の収納箱１０を、図１から図６を用いて説明する。収納箱１０は、任意の物品等の収納を可能とする箱で、上下方向（鉛直方向）に積み重ねることが可能とされている。以下では、収納箱１０において、適切に置かれた状態での鉛直方向を上下方向（矢印ＵＤでＵが上側）とし、開口部１１に正対する方向を前後方向（開口部１１が前側（矢印ＦＢでＦが前側））とし、前後方向および上下方向に直交する方向を左右方向（収納空間１２内で開口部１１を前側とした位置から見て右左を示す（矢印ＲＬでＲが右側））として説明する。
【００１２】
収納箱１０は、図１および図２に示すように、前後方向の前側に開口部１１が設けられ、そこから収納空間１２への物品の出し入れが可能とされている。収納箱１０は、左右方向で対を為す２つの側板２０の間に、上前板３０と下前板４０と天板５０と底板６０と奥板７０とが組み合わされて構成されている。この各板は、実施例１では、強化ダンボールの上下に強化のための複数枚（実施例１では上下２枚ずつ）の紙を貼り合わせて形成した強化ボード（スーパーダンボール（スパダン（登録商標）））から形成されており、互いに等しい厚さ寸法とされ、表面に撥水加工が施されている。このため、各板は、極めて軽いものであるにも拘らず、高い強度を有しているとともに、表面の濡れや汚れの処理が容易とされている。
【００１３】
両側板２０は、左右方向に直交する面に関して鏡像対称とされている。両側板２０は、左右方向に直交する面に沿って存在しつつ上下方向に長い矩形状とされ、上端縁２１に上側波状面１３が設けられているとともに、下端縁２２に下側波状面１４が設けられている。上側波状面１３は、図３に示すように、対応する側板２０の上下方向に直交する平面とされた上端縁２１の長さ方向（前後方向）における中間位置に設けられている。上側波状面１３は、左右方向と平行な面を維持しつつ上方へ向けて波状に突出する２つの凸部分１３ａを有し、両凸部分１３ａの間が左右方向と平行な面を維持しつつ上下方へ向けて波状に凹む凹部分１３ｂとされている。このため、上端縁２１は、中間位置が上側波状面１３とされ、その上側波状面１３の前後が上下方向に直交する平坦面１５とされ、平坦な箇所から上、下、上と波状に変位する箇所となった後に再び平坦な箇所となる。
【００１４】
下側波状面１４は、図４に示すように、対応する側板２０の上下方向に直交する平面とされた下端縁２２の長さ方向における中間位置に設けられている。下側波状面１４は、左右方向と平行な面を維持しつつ上方へ向けて波状に凹む２つの凹部分１４ａを有し、両凹部分１４ａの間が左右方向と平行な面を維持しつつ下方へ向けて突出する凸部分１４ｂとされている。この下側波状面１４は、互いに面で接触させつつ両凹部分１４ａに上側波状面１３の両凸部分１３ａを嵌め入れるとともに凸部分１４ｂを上側波状面１３の凹部分１３ｂに嵌め入れることが可能な関係、すなわちぴたりと噛み合わせて全面に亘り面接触させることが可能な関係とされている。下端縁２２は、中間位置が下側波状面１４とされ、その下側波状面１４の前後が上下方向に直交する平坦面１５とされ、平坦な箇所から上、下、上と波状に変位する箇所となった後に再び平坦な箇所となる。
【００１５】
両側板２０では、上端縁２１における上側波状面１３の前後方向の位置と、下端縁２２における下側波状面１４の前後方向の位置と、が等しくされている。これにより、両側板２０では、上側波状面１３の前後が共に平坦面１５とされるとともに下側波状面１４の前後が共に平坦面１５とされるので、上端縁２１の上側波状面１３および両平坦面１５と、下端縁２２の下側波状面１４および両平坦面１５と、を面接触させて連結することができる。
【００１６】
両側板２０では、図２に示すように、上側波状面１３を含む上端縁２１、下側波状面１４を含む下端縁２２、前端縁２３および後端縁２４の全周に亘りカバー部材１６が設けられている。カバー部材１６は、側板２０の各縁の表面を覆うことで表面を保護しつつ見栄えを向上させるものであり、実施例１では樹脂材料で形成されている。カバー部材１６は、すべり止めとしての機能を有し、特に、カバー部材１６同士を接触させた際にはすべり止めとしてより効果的に機能する。
【００１７】
両側板２０では、互いに向き合う内側面２５に、第１固定穴Ｈ１と、第２固定穴Ｈ２と、一対の第３固定穴Ｈ３と、一対の第４固定穴Ｈ４と、第５固定穴Ｈ５と、が設けられている。この各穴（Ｈ１からＨ５）は、内側面２５を穿って設けられており、各側板２０を貫通しないものとされている。第１固定穴Ｈ１は、内側面２５における前側の上部に設けられ、実施例１では正面視して上下方向に少し長い長方形状とされている。第２固定穴Ｈ２は、内側面２５における前側の下部に設けられ、実施例１では正面視して上下方向に長い長方形状とされている。
【００１８】
第３固定穴Ｈ３は、内側面２５の上部において前後方向で対を為して設けられ、実施例１では正面視して前後方向に長い長方形状とされている。第４固定穴Ｈ４は、内側面２５の下部において前後方向で対を為して設けられ、実施例１では正面視して前後方向に長い長方形状とされている。第５固定穴Ｈ５は、内側面２５における後側の中央部に設けられ、実施例１では正面視して上下方向に長い長方形状とされている。
【００１９】
両側板２０では、中央位置から少し上側に手掛穴１７が設けられている。手掛穴１７は、正面視して前後方向に長尺で前後の両端が丸められた形状とされて、対応する側板２０を左右方向に貫通している。手掛穴１７では、内周面（側板２０を貫通した切断面）が、両側板２０の各縁と同様にカバー部材１６により覆われている。
【００２０】
上前板３０は、両側板２０の前側の上部で、その両側板２０を架け渡して設けられる。上前板３０は、前後方向に直交する面に沿って存在しつつ左右方向に細長い矩形状とされ、上下方向に直交する平面とされた上端縁３１に両側板２０と同様の上側波状面１３が設けられている。上側波状面１３は、上端縁３１の長さ方向（左右方向）における中間位置に設けられている。このため、上端縁３１は、中間位置が上側波状面１３とされ、その上側波状面１３の左右が上下方向に直交する平坦面１５とされ、平坦な箇所から上、下、上と波状に変位する箇所となった後に再び平坦な箇所となる。
【００２１】
上前板３０では、上側波状面１３を含む上端縁３１と下端縁３２とが、両側板２０の各縁と同様にカバー部材１６により覆われている。また、上前板３０では、左右に位置する両側端縁３３に、各側板２０の第１固定穴Ｈ１に対応する第１固定突起Ｐ１が設けられている。各第１固定突起Ｐ１は、側端縁３３の中央から左右方向に突出して設けられ、第１固定穴Ｈ１に嵌め入れることが可能とされている。さらに、上前板３０では、後側を向く裏面３４の中央近傍に第６固定穴Ｈ６が設けられている。第６固定穴Ｈ６は、裏面３４を穿って形成されて上前板３０を貫通しないものとされ、正面視して左右方向に細長い長方形状とされている。
【００２２】
下前板４０は、両側板２０の前側の下部で、その両側板２０を架け渡して設けられる。下前板４０は、前後方向に直交する面に沿って存在しつつ左右方向に細長い矩形状とされ、上下方向に直交する平面とされた下端縁４１に両側板２０と同様の下側波状面１４が設けられている。下側波状面１４は、下端縁４１の長さ方向（左右方向）における中間位置に設けられている。このため、下端縁４１は、中間位置が下側波状面１４とされ、その下側波状面１４の左右が上下方向に直交する平坦面１５とされ、平坦な箇所から上、下、上と波状に変位する箇所となった後に再び平坦な箇所となる。
【００２３】
下前板４０では、下側波状面１４を含む下端縁４１と上端縁４２とが、両側板２０の各縁と同様にカバー部材１６により覆われている。また、下前板４０では、左右に位置する両側端縁４３に、各側板２０の第２固定穴Ｈ２に対応する第２固定突起Ｐ２が設けられている。各第２固定突起Ｐ２は、側端縁４３の中央から左右方向に突出して設けられ、第２固定穴Ｈ２に嵌め入れることが可能とされている。さらに、下前板４０では、後側を向く裏面４４の中央近傍に第７固定穴Ｈ７が設けられている。第７固定穴Ｈ７は、裏面４４を穿って形成されて下前板４０を貫通しないものとされ、正面視して左右方向に細長い長方形状とされている。
【００２４】
天板５０と底板６０とは、互いに等しい構成とされている。天板５０は両側板２０の上部を、底板６０は両側板２０の下部を、それぞれ架け渡して設けられる。天板５０と底板６０とは、上下方向に直交する面に沿って存在しつつ左右方向に長い矩形状とされている。天板５０では、上前板３０の第６固定穴Ｈ６に対応する第６固定突起Ｐ６と、両側板２０の第３固定穴Ｈ３に対応する第３固定突起Ｐ３と、奥板７０の後述する第８固定穴Ｈ８に対応する第８固定突起Ｐ８と、が設けられている。第６固定突起Ｐ６は、前側の前端縁５１の中央から前後方向に突出して設けられ、第６固定穴Ｈ６に嵌め入れることが可能とされている。第３固定突起Ｐ３は、両側の側端縁５２において前後方向で対を為しつつ左右方向に突出して設けられ、対を為す第３固定穴Ｈ３に嵌め入れることが可能とされている。第８固定突起Ｐ８は、後側の後端縁５３の中央から前後方向に突出して設けられ、第８固定穴Ｈ８に嵌め入れることが可能とされている。
【００２５】
底板６０では、下前板４０の第７固定穴Ｈ７に対応する第７固定突起Ｐ７と、両側板２０の第４固定穴Ｈ４に対応する第４固定突起Ｐ４と、奥板７０の後述する第９固定穴Ｈ９に対応する第９固定突起Ｐ９と、が設けられている。第７固定突起Ｐ７は、前側の前端縁６１の中央から前後方向に突出して設けられ、第７固定穴Ｈ７に嵌め入れることが可能とされている。第４固定突起Ｐ４は、両側の側端縁６２において前後方向で対を為しつつ左右方向に突出して設けられ、対を為す第４固定穴Ｈ４に嵌め入れることが可能とされている。第９固定突起Ｐ９は、後側の後端縁６３の中央から前後方向に突出して設けられ、第９固定穴Ｈ９に嵌め入れることが可能とされている。
【００２６】
奥板７０は、両側板２０の後側で、その両側板２０を架け渡して設けられる。奥板７０は、前後方向に直交する面に沿って存在しつつ上下方向に長い矩形状とされ、両側板２０と等しい高さ寸法（上下方向の寸法）とされている。奥板７０では、上下方向に直交する平面とされた上端縁７１に両側板２０と同様の上側波状面１３が設けられ、上下方向に直交する平面とされた下端縁７２に両側板２０と同様の下側波状面１４が設けられている。上側波状面１３は、上端縁７１の長さ方向（左右方向）における中間位置に設けられている。このため、上端縁７１は、中間位置が上側波状面１３とされ、その上側波状面１３の左右が上下方向に直交する平坦面１５とされ、平坦な箇所から上、下、上と波状に変位する箇所となった後に再び平坦な箇所となる。下側波状面１４は、下端縁７２の長さ方向（左右方向）における中間位置に設けられている。このため、下端縁７２は、中間位置が下側波状面１４とされ、その下側波状面１４の左右が上下方向に直交する平坦面１５とされ、平坦な箇所から上、下、上と波状に変位する箇所となった後に再び平坦な箇所となる。
【００２７】
奥板７０では、上側波状面１３を含む上端縁７１および下側波状面１４を含む下端縁７２が、両側板２０の各縁と同様にカバー部材１６により覆われている。また、奥板７０では、左右に位置する両側端縁７３に、各側板２０の第５固定穴Ｈ５に対応する第５固定突起Ｐ５が設けられている。各第５固定突起Ｐ５は、側端縁７３の中央から左右方向に突出して設けられ、第５固定穴Ｈ５に嵌め入れることが可能とされている。さらに、奥板７０では、前側を向く内側面７４に、第８固定穴Ｈ８と第９固定穴Ｈ９とが上下方向で対を為して設けられている。第８固定穴Ｈ８および第９固定穴Ｈ９は、内側面７４を穿って設けられており、奥板７０を貫通しないものとされている。第８固定穴Ｈ８は、内側面７４の上部に設けられ、正面視して左右方向に長い長方形状とされている。第９固定穴Ｈ９は、内側面７４の下部に設けられ、正面視して左右方向に長い長方形状とされている。
【００２８】
次に、収納箱１０の組み付けの一例について説明する。なお、収納箱１０の組み付けは、以下の説明と各板の組み付けの関係性が等しいものであれば、組み付ける順番に関しては以下の説明から適宜入れ替えてもよく、以下の例に限定されない。
【００２９】
先ず、天板５０の後端縁５３（第８固定突起Ｐ８も含む）に接着剤を塗布し、第８固定突起Ｐ８を奥板７０の第８固定穴Ｈ８に嵌め入れつつ後端縁５３を奥板７０の内側面７４に宛がう。また、底板６０の後端縁６３（第９固定突起Ｐ９も含む）に接着剤を塗布し、第９固定突起Ｐ９を奥板７０の第９固定穴Ｈ９に嵌め入れつつ後端縁６３を奥板７０の内側面７４に宛がう。天板５０の前端縁５１（第６固定突起Ｐ６も含む）に接着剤を塗布し、第６固定突起Ｐ６を上前板３０の第６固定穴Ｈ６に嵌め入れつつ前端縁５１を上前板３０の裏面３４に宛がう。底板６０の前端縁６１（第７固定突起Ｐ７も含む）に接着剤を塗布し、第７固定突起Ｐ７を下前板４０の第７固定穴Ｈ７に嵌め入れつつ前端縁６１を下前板４０の裏面４４に宛がう。
【００３０】
その後、奥板７０の両側端縁７３（第５固定突起Ｐ５も含む）と、天板５０の両側端縁５２（第３固定突起Ｐ３も含む）と、底板６０の両側端縁６２（第４固定突起Ｐ４も含む）と、に接着剤を塗布する。また、上前板３０の両側端縁３３（第１固定突起Ｐ１も含む）と、下前板４０の両側端縁４３（第２固定突起Ｐ２も含む）と、に接着剤を塗布する。そして、各側板２０の内側面２５に対して、各第５固定穴Ｈ５に奥板７０の各第５固定突起Ｐ５を嵌め入れつつ各側端縁７３を宛がい、各第３固定穴Ｈ３に天板５０の各第３固定突起Ｐ３を嵌め入れつつ各側端縁５２を宛がい、各第４固定穴Ｈ４に底板６０の各第４固定突起Ｐ４を嵌め入れつつ各側端縁６２を宛がう。また、各側板２０の内側面２５に対して、各第１固定穴Ｈ１に上前板３０の各第１固定突起Ｐ１を嵌め入れつつ各側端縁３３を宛がい、各第２固定穴Ｈ２に下前板４０の各第２固定突起Ｐ２を嵌め入れつつ各側端縁４３を宛がう。これにより、図１に示すように、各板が組み付けられて収納箱１０が形成される。
【００３１】
収納箱１０では、天板５０と底板６０とが上下方向に並列しつつ奥板７０に対して直交する状態で奥板７０に取り付けられ、その天板５０に直交して上前板３０が取り付けられるとともに、底板６０に直交して下前板４０が取り付けられている。そして、収納箱１０では、左右方向から見て全体にＵ字形状に組み合わされた奥板７０と天板５０と底板６０と上前板３０と下前板４０とに対して、左右方向の両側から側板２０が直交する位置関係で取り付けられている。このとき、天板５０は、自らの４辺を取り囲む４つの板（上前板３０、奥板７０（その上箇所）、両側板２０（その上箇所））に対して、Ｔ字状に直交して付き当てられている（４つの板が勝ちで天板５０が負けの状態）。また、底板６０は、自らの４辺を取り囲む４つの板（下前板４０、奥板７０（その下箇所）、両側板２０（その下箇所））に対して、Ｔ字状に直交して付き当てられている（４つの板が勝ちで底板６０が負けの状態）。さらに、上前板３０と下前板４０と奥板７０とは、両側板２０に対して、Ｔ字状に直交して付き当てられている（側板２０が勝ちで３つの板が負けの状態）。
【００３２】
収納箱１０では、各板により囲まれて収納空間１２が形成され、両側板２０の各前端縁２３と上前板３０の下端縁３２と下前板４０の上端縁４２とにより収納空間１２の出入り口となる開口部１１が形成される。このため、収納箱１０では、天板５０と底板６０と両側板２０（その中間箇所）と奥板７０（その中間箇所）とが、天板５０と底板６０との間に収納空間１２を形成する箱本体部として機能する。また、収納箱１０では、上前板３０と奥板７０（その上箇所）と両側板２０（その上箇所）とが、天板５０の４辺を取り囲み上側波状面１３が設けられた４つの支持壁部として機能する。さらに、収納箱１０では、下前板４０と奥板７０（その下箇所）と両側板２０（その下箇所）とが、底板６０の４辺を取り囲み下側波状面１４が設けられた４つの脚壁部として機能する。収納箱１０では、４つの上側波状面１３が互いに等しい高さ位置（上下方向の位置）とされ、４つの下側波状面１４が互いに等しい高さ位置とされている。
【００３３】
収納箱１０では、天板５０が自らにＴ字状に直交する４つの板により４辺が囲まれており、底板６０が自らにＴ字状に直交する４つの板により４辺が囲まれている。また、収納箱１０では、両側板２０に対して残りの各板がＴ字状に直交されている。このため、収納箱１０では、開口部１１により収納空間１２が開かれた状態とされていても、十分な強度を有しており、接触する各板が直交する状態が維持される。また、収納箱１０では、Ｔ字状に付き当てられている負け側の板に設けた固定突起を勝ち側の板に設けた固定穴に嵌め入れているので、Ｔ字状に付き当てられた箇所の連結が強固なものとされている。特に、収納箱１０では、Ｔ字状に付き当てられている負け側の板の端縁と勝ち側の板の面とが全面に亘り接着材で固定されているので、Ｔ字状に付き当てられた箇所の連結がより強固なものとされている。
【００３４】
収納箱１０は、図５に示すように、同じものを２つ用いて、一方の各支持壁部の上側波状面１３に他方の各脚壁部の下側波状面１４を噛み合わせながら一方の上に他方を載せることで積み重ねることができる。その上側波状面１３と下側波状面１４とは、噛み合わされることで互いの長尺方向への相対的な移動を防止する。収納箱１０では、噛み合わされた４つの上側波状面１３および下側波状面１４のうちの２つが左右方向に伸びて存在しているとともに２つが前後方向に伸びて存在しているので、上下の収納箱１０が前後方向および左右方向のいずれの水平方向にズレることを防止でき、安定して積み重ねることができる。また、各支持壁部の上端縁（２１、３１、７１）と各脚壁部の下端縁（２２、４１、７２）とを全面に亘り面接触させることができるので、積み重ねの状態をより安定させることができる。特に、各支持壁部の上端縁および各脚壁部の下端縁は、それぞれカバー部材１６で覆われているので、互いにすべることが大幅に抑制されており、上側波状面１３と下側波状面１４との噛み合わせによる連結を強固なものにできる。
【００３５】
この収納箱１０は、図６に示すように、複数用いることで間仕切りとして利用できる。図６の例では、６つの収納箱１０を用いており、上下方向に２つ積み重ねたものを左右方向に３つ並べて配置している。そして、図６の例では、２つの収納箱１０を積み重ねる際に、上下で開口部１１を向ける方向を前後に反転させている。ここで、収納箱１０では、各上側波状面１３が互いに等しい構成とされかつ各下側波状面１４が互いに等しい構成とされているので、上記したように反転させて積み重ねても、開口部１１が向く方向が変化することを除くと図５のように向きを揃えて積み重ねた場合を同様に安定して積み重ねることができる。このため、収納箱１０は、複数（この例では６つ）を適宜並べつつ積み重ねることで、図６を正面視して手前側と奥側とに空間を区切る間仕切りとして機能させることができるとともに、収納棚としても利用できる。そして、収納箱１０は、区切った双方の空間に向けて開口部１１を向けることができるので、双方の空間で収納空間１２を利用できるとともに、その利用可能な収納空間１２の数の配分を適宜設定できる。
【００３６】
本開示に係る収納箱の一実施例の収納箱１０は、以下の各作用効果を得ることができる。
【００３７】
収納箱１０は、側方に開口部１１を有する収納空間１２を形成する箱本体部において、天板５０の４辺が上側波状面１３を有する４つの支持壁部で取り囲まれ、底板６０の４辺が下側波状面１４を有する４つの脚壁部で取り囲まれている。その上側波状面１３と下側波状面１４とは、凸部分１３ａを凹部分１４ａに嵌め入れることを可能としつつ全面に亘り面接触可能とされている。このため、収納箱１０は、同じものを２つ用いて、一方の各支持壁部の上側波状面１３に他方の各脚壁部の下側波状面１４を噛み合わせながら一方の上に他方を載せることで水平方向にズレることを防止しつつ積み重ねることができ、積み重ねた状態であっても側方の開口部１１から収納空間１２を利用ができる。ここで、収納箱１０は、天板５０の４辺を各支持壁部で取り囲むとともに、底板６０の４辺を各脚壁部で取り囲んでいるので、側方に開口部１１を設けていても歪み変形し難くすることができ、強度を確保できる。また、収納箱１０は、噛み合わせる上側波状面１３が２つ以上の凸部分１３ａを有するとともに下側波状面１４が２つ以上の凹部分１４ａを有する波状に変位する形状（波形状）とされているので、水平方向にズラすように作用する力を分散することができ、噛み合わせによる連結の強度を確保できる。
【００３８】
また、収納箱１０は、上下方向で並列する天板５０および底板６０が両側板２０の間を架け渡して設けられるとともに、前後方向で並列する奥板７０と上前板３０と下前板４０とが両側板２０の間を架け渡して設けられている。また、収納箱１０は、天板５０と底板６０と両側板２０の中間箇所と奥板７０の中間箇所とで箱本体部を形成し、両側板２０の上箇所と奥板７０の上箇所と上前板３０とで４つの支持壁部を形成し、両側板２０の下箇所と奥板７０の下箇所と下前板４０とで４つの脚壁部を形成している。このため、収納箱１０は、７枚の板を組み合わせて形成できるので、簡易な構成としつつ強度を確保することができる。特に、収納箱１０は、各板を強化ボード（スーパーダンボール（スパダン））で形成しているので、強度を確保しつつ軽量にでき、積み重ねや持ち運びを容易にできる。
【００３９】
さらに、収納箱１０は、天板５０および底板６０を互いに等しい長方形状としているので、積み重ねる際に、上下で開口部１１を向ける方向を一致させることができるとともに前後に反転させることができ、組み合わせの自由度を向上させることができ、使い勝手を向上させることができる。
【００４０】
収納箱１０は、上側波状面１３および下側波状面１４がすべり止め機能を有するカバー部材１６により覆われている。このため、収納箱１０は、積み重ねた際に水平方向にズレることをよりかくじつに防止できる。
【００４１】
収納箱１０は、天板５０の４辺を取り囲む各支持壁部の上端縁に上側波状面１３を設けるとともに、底板６０の４辺を取り囲む各脚壁部の上端縁に下側波状面１４を設けているので、上端と下端とで同調する滑らかな線が全周に亘り設けられており、意匠性（デザイン性）に優れたものにできる。また、収納箱１０は、上側波状面１３および下側波状面１４を積み重ねた際の位置ずれに用いるので、デザインの一部として認識させつつ位置ずれを防止できる。
【００４２】
収納箱１０は、収納空間１２において、両側板２０を架け渡す棚板を設けたり、両側板２０を架け渡す棒状部材（ハンガーラック）を設けたりすることができ、様々な用途に利用することができる。
【００４３】
したがって、本開示に係る収納箱としての実施例１の収納箱１０では、積み重ねた状態において、強度を確保しつつ収納物を出し入れ可能とすることができる。
【００４４】
以上、本開示の収納箱１０を実施例１に基づき説明してきたが、具体的な構成については実施例１に限られるものではなく、特許請求の範囲の各請求項に係る発明の要旨を逸脱しない限り、設計の変更や追加等は許容される。
【００４５】
例えば、実施例１では、同じ大きさの複数の収納箱１０を積み重ねたり並べたりしていたが、異なる大きさの収納箱１０を用いるものとしてもよい。この一例として、図７に示すように、実施例１の収納箱１０よりも左右方向に長尺な収納箱１０Ａを併せて用いることがあげられる。この収納箱１０Ａは、左右方向の寸法が、左右方向に２つ並べた収納箱１０と等しい寸法とされている。このため、収納箱１０Ａでは、上前板３０Ａ、下前板４０Ａ、天板５０Ａ（図７では隠れて見えない）、底板６０Ａおよび奥板７０Ａ（図７では隠れて見えない）の左右方向の長さ寸法が、収納箱１０の天板５０、底板６０および奥板７０を２枚並べた寸法に２つの側板２０を重ねた厚さ寸法を加えたものと等しくされている。そして、収納箱１０Ａでは、上前板３０Ａと奥板７０Ａとにおいて、平坦面１５を挟んで左右方向の２か所に上側波状面１３を設けるとともに、下前板４０Ａと奥板７０Ａとにおいて、平坦面１５を挟んで左右方向の２か所に下側波状面１４を設けている。この各上側波状面１３および各下側波状面１４は、収納箱１０を左右方向に２つの並べた際の各上側波状面１３および各下側波状面１４と噛み合わせることが可能な位置関係とされている。収納箱１０Ａは、上記した構成とされているので、上に２つの収納箱１０の並べて積み重ねることができる。このとき、収納箱１０Ａおよび両収納箱１０では、開口部１１Ａおよび各開口部１１の向きを図７のように揃えてもよく、幾つかを前後に反転させてもよい。このような構成とすると、収納箱１０Ａの収納空間１２Ａが左右に長尺となるので、組み合わせの自由度をより向上させることができるとともに、用途の多様性を得ることができる。なお、図７の例では、収納箱１０を左右方向に２つの並べた寸法の収納箱１０Ａを示していたが、噛み合わせることが可能な位置関係で各上側波状面１３および各下側波状面１４を設けていれば、収納箱１０を任意の個数を並べた寸法としてもよく、複数の収納箱１０を並べたものとは異なる寸法としてもよい。また、収納箱は、高さ寸法（上下方向の寸法）を異なるものを一緒に用いてもよく、上記した例には限定されない。この高さ寸法は、奥板（７０）および側板（２０）の上下方向の寸法を適宜設定することで調整できる。さらに、図７の例では、収納箱１０Ａの上に２つの収納箱１０を載せていたが、上下を逆にしてもよく、積み重ねる段数を増やしてもよく、上記した例に限定されない。
【００４６】
また、実施例１では、天板５０および底板６０を互いに等しい左右方向に長い長方形状としていたが、図８に示すように、天板５０Ｂおよび底板６０Ｂを互いに等しい正方形状とした収納箱１０Ｂとしてもよい。この収納箱１０Ｂでは、収納箱１０と同様に積み重ねたり並べたりすることに加えて、開口部１１Ｂの向きを９０度回転させた位置関係で積み重ねることができ、組み合わせの自由度をより向上させることができるとともに、より使い勝手を向上させることができる。この場合であっても、上記したように高さ寸法（上下方向の寸法）を異なるものを用いてよい。また、天板５０と底板６０とは、前後に長い矩形状としてもよく、上記した例には限定されない。
【００４７】
さらに、実施例１では、前後方向の前側に開口部１１が設けられた収納箱１０としていたが、図９に示すように、前側に加えて後側にも開口部１１Ｃが設けられた収納箱１０Ｃとしてもよい。収納箱１０Ｃは、収納箱１０における奥板７０に替えて上後板８０と下後板９０と用いている。上後板８０は、設けられる位置が前側から後側に変わることを除くと上前板３０と同様の構成とされ、下後板９０は、設けられる位置が前側から後側に変わることを除くと下前板４０と同様の構成とされる。収納箱１０Ｃでは、両側板２０において、第５固定穴Ｈ５に替えて第１０固定穴Ｈ１０と第１１固定穴Ｈ１１とが設けられている。第１０固定穴Ｈ１０は、設けられる位置が後方となることを除くと第１固定穴Ｈ１と同様の構成とされ、第１１固定穴Ｈ１１は、設けられる位置が後方となることを除くと第２固定穴Ｈ２と同様の構成とされている。収納箱１０Ｃでは、両側板２０の各後端縁２４と上後板８０の下端縁８１と下後板９０の上端縁９１とにより収納空間１２の後側の出入り口となる開口部１１Ｃが形成される。収納箱１０Ｃは、前後の双方の開口部１１Ｃから収納空間１２を利用できる。このため、収納箱１０Ｃは、収納箱１０と組み合わせて積み重ねたり並べたりすることで、組み合わせの自由度をより向上させることができるとともに、より多様性を持たせることができる。特に、収納箱１０Ｃは、図８に示す収納箱１０Ｂのように天板５０および底板６０を互いに等しい正方形状とすると、９０度回転させた位置関係で積み重ねることで四方のいずれにも開口部１１Ｃが位置することとなり、いずれの方向からでも収納空間１２を利用させることができる。
【００４８】
実施例１およびその他の各例では、上側波状面１３が２つの凸部分１３ａを有し、かつ下側波状面１４が２つの凹部分１４ａを有するものとしている。しかしながら、上側波状面１３と下側波状面１４とは、ぴたりと噛み合わせて全面に亘り面接触させることが可能な関係とされていれば、凸部分１３ａおよび凹部分１４ａの個数は２つ以上で適宜設定すればよく、実施例１およびその他の各例に限定されない。
【符号の説明】
【００４９】
１０、１０Ａ、１０Ｂ、１０Ｃ  収納箱      １１、１１Ａ、１１Ｂ、１１Ｃ  開口部      １２、１２Ａ  収納空間      １３  上側波状面      １３ａ  凸部分      １４  下側波状面      １４ａ  凹部分      １６カバー部材      ２０  側板      ３０、３０Ａ  上前板      ４０、４０Ａ  下前板      ５０、５０Ａ、５０Ｂ  天板      ６０、６０Ａ、６０Ｂ  底板      ７０、７０Ａ  奥板      ８０  上後板      ９０  下後板
【図１】
2019031304.tif 000003
【図２】
2019031304.tif 000004
【図３】
2019031304.tif 000005
【図４】
2019031304.tif 000006
【図５】
2019031304.tif 000007
【図６】
2019031304.tif 000008
【図７】
2019031304.tif 000009
【図８】
2019031304.tif 000010
【図９】
2019031304.tif 000011